(57)【要約】【課題】発光ランプや電気的駆動源を支持枠に一体に組み込んで装飾枠体を形成し、該装飾枠体をパチンコ遊技機に交換可能に取着して、交換作業や廃棄処理の際の分別作業が容易に行なえ作業性が高められるようにした遊技機を提供する。【解決手段】発光体３４が内蔵され前方を照らす発光ランプ１８と、該発光ランプ１８を回動または揺動させる電気的駆動源２５，３９と、発光ランプ１８と電気的駆動源２５，３９とを連繋する動力伝達機構２６，３９とを、支持枠１５，１６に一体に組み込んで装飾枠体９ａ，９ｂを形成し、装飾枠体９ａ，９ｂを遊技機Ｐに交換可能に取着し、発光しつつ回動または揺動する発光ランプ１８を前側から視認できるようにした。【選択図】図５
2008264027.tif 000002
【特許請求の範囲】
【請求項１】
発光体が内蔵され前方を照らす発光ランプと、前記発光ランプを回動または揺動させる電気的駆動源と、前記発光ランプと前記電気的駆動源とを連繋する動力伝達機構とを、支持枠に一体に組み込んで装飾枠体を形成し、前記装飾枠体を遊技機に交換可能に取着し、発光しつつ回動または揺動する前記発光ランプを前側から視認できるようにしたことを特徴とする遊技機。
【請求項２】
前記発光ランプは両端部を軸着して上下に自在に揺動する可動半筒体に取着され、かつ、外周面に歯部が設けられると共に中心軸線を中心として自在に回動し、前記歯部と前記電気的駆動源とを第二従動ギア群により連繋し、前記可動半筒体は第一従動ギア群を介して電気的駆動源と連結され、前記各電気的駆動源を駆動させることにより前記発光ランプが回動または揺動するようにした請求項１記載の遊技機。
【発明の詳細な説明】
【技術分野】
【０００１】
本発明は、遊技機に取着される装飾枠体の発光ランプを遊技の状況に応じて発光させると共に回動または揺動させることによって、遊技者に遊技の期待感や満足感を与えるようにした遊技機に関するものである。
【背景技術】
【０００２】
従来、遊技機の一種であるパチンコ遊技機であって、例えばフィーバー機と称される第１種のパチンコ遊技機は、始動入賞口に遊技球が入賞することにより可変表示装置の表示部である液晶画面に各種の数字、図柄などの情報を変動表示している。そして、その情報が停止したときの組み合わせが特定の組み合わせ（例えば、「７７７」）に揃ったとき、遊技者に有利な所謂「大当り」という特別遊技状態となり、特定の入賞装置の入賞口が一定の条件の下で開放した状態を繰り返し、一度に多くの賞球が得られるようにしている。
【０００３】
前記大当りの状態になる発生確率はかなり低く、それがため大当りの状態になった場合には、パチンコ遊技機の前面に複数の発光ランプを配設し、該各発光ランプを発光させつつ前後方向へ可動させるなど、発光と共に動作を加えて遊技者の喜びや満足感を高めると共に遊技の興趣を盛り上げるようにしている（例えば、特許文献１参照。）。
【０００４】
【特許文献１】特開２００３−１９０６００号公報（第２−３頁、図１乃至図４）
【発明の開示】
【発明が解決しようとする課題】
【０００５】
しかしながら、前記特許文献１のパチンコ遊技機にあっては、発光体である豆ランプが内蔵される発光ランプを円筒部の先端に設け、発光ランプが台板の前面に位置するようにして円筒部をパチンコ遊技機の台板に取り着け、また、台板の裏面に発光ランプを前後に可動させる電気的駆動源としてのソレノイドを取着している。更に、目や眉が描かれた可動部材や該可動部材を作動させる電気的駆動源としての駆動装置も台板に一体に組み付けられている。このため、仮に、いずれかの発光ランプまたは電気的駆動源が故障すると、それら故障した発光ランプなどを電気配線を考慮しながら台板から外して付け替えらなければならず、面倒な作業を強いられその交換が容易でなかった。
【０００６】
また、通常、パチンコ遊技機は複数の異なる材質のものを使用しており、廃棄処分する際には、それらを材質によって選り分ける分別処理が行なわれている。しかしながら、前記のように複数の発光ランプや電気的駆動源が台板に組み付けられていると、それらをいちいち取り外して分別しなければならず、多くの労力を必要とし、分別作業が迅速に行なえなくて作業性が悪いという課題が有った。
【０００７】
そこで、本発明は前記課題に鑑みてなされたもので、発光ランプや電気的駆動源を支持枠に一体に組み込んで装飾枠体を形成し、該装飾枠体をパチンコ遊技機に交換可能に取着して、交換作業や廃棄処理の際の分別作業が容易に行なえ作業性が高められるようにした遊技機を提供することを目的とするものである。
【課題を解決するための手段】
【０００８】
かかる目的を達成するため、本発明の遊技機は、発光体が内蔵され前方を照らす発光ランプと、前記発光ランプを回動または揺動させる電気的駆動源と、前記発光ランプと前記電気的駆動源とを連繋する動力伝達機構とを、支持枠に一体に組み込んで装飾枠体を形成し、前記装飾枠体を遊技機に交換可能に取着し、発光しつつ回動または揺動する前記発光ランプを前側から視認できるようにしたことを特徴とする。
【０００９】
具体的には、例えば前記発光ランプは両端部を軸着して上下に自在に揺動する可動半筒体に取着され、かつ、外周面に歯部が設けられると共に中心軸線を中心として自在に回動し、前記歯部と前記電気的駆動源とを第二従動ギア群により連繋し、前記可動半筒体は第一従動ギア群を介して電気的駆動源と連結され、前記各電気的駆動源を駆動させることにより前記発光ランプが回動または揺動するようにした構成が採られる。
【発明の効果】
【００１０】
本発明に係る遊技機は、回動または揺動して前方を照らす発光ランプと、発光ランプを作動させる電気的駆動源と、発光ランプと電気的駆動源とを連繋する動力伝達機構と、を支持枠に一体に組み込んで装飾枠体を形成し、装飾枠体を遊技機に交換可能に取着するようにしたので、それらを交換する場合は装飾枠体ごと外せば良く交換作業が容易に行なえ、また、廃棄処分に際しても装飾枠体ごと取り外せば済むので、分別作業も容易に行なえ作業性の向上が図られるという有益な効果がある。
【発明を実施するための最良の形態】
【００１１】
以下、本発明に係る遊技機の実施の形態を図面に基づき説明する。なお、本発明はパチンコ遊技機、雀球遊技機、スロットマシン、テレビゲーム機等の種々の遊技機に適用できるが、その内一実施の形態としてパチンコ遊技機について説明する。
【００１２】
図１は本発明に係るパチンコ遊技機の正面図である。このパチンコ遊技機Ｐは、所謂第１種のパチンコ遊技機であり、縦長長方形状の外枠１を有し、該外枠１の前面に遊技盤２を配設した遊技盤取付枠（図示せず。）がその一側を支点にして自在に前後に回動するように軸装されている。また、遊技盤取付枠の前面に前面枠３が同じく一側を支点にして自在に前後に回動するように軸装されている。この前面枠３は遊技盤取付枠の前面の大きさとほぼ同じ大きさを有し、閉めたとき遊技盤取付枠の前面をすべて覆うようになっている。
【００１３】
前面枠３は、合成樹脂製であってその中央に遊技盤２の前面遊技部２ａが臨む略縦長長方形状の窓開口４が開設され、その周囲が前方へ突出する斬新なデザインとされている。窓開口４には前後２枚の透明板からなる透明板ユニット５が配置され、該窓開口４を塞ぐようにしている。窓開口４の下方は前方へ張り出されるようにして打球発射部（図示せず。）に供給する遊技球を貯留するための球受皿６が一体に設けられる。また、前面枠３の下部一側に打球発射部から遊技盤２面の遊技部２ａに発射される遊技球の打球力を調整するための打球力調整ハンドル７が装着されている。そして、前面枠３の中央の上部と下部とにそれぞれ横長の透光性のカバー部材８ａ，８ｂが設けられ、該各カバー部材８ａ，８ｂの中に、それぞれ遊技の興趣を盛り上げるための装飾枠体９ａ，９ｂが設置される。
【００１４】
遊技盤２の前面にガイドレール１０が略渦巻状に敷設され、該ガイドレール１０により囲われるようにして遊技部２ａが形成される。遊技部２ａにはその中央に液晶画面からなる表示部１１ａを備えた可変表示装置１１が配設され、その下方に始動入賞口１２及び大型の入賞装置１３が配設されている。そこで、遊技部２ａに打ち込まれた遊技球が始動入賞口１２に入賞すると、表示部１１ａの数字、図柄といった情報が変動表示され、一定時間経過後に停止する。このとき、その停止した情報があらかじめ設定された特定の情報（例えば、「７７７」）に揃うと、遊技者に有利な特別遊技状態、いわゆる大当りになり、一定の条件の下で入賞装置１３の開閉扉１３ａが所定時間または所定個数入賞するまで開いている状態が繰り返され、一度に多くの賞球が得られるようになっている。
【００１５】
次に、図４乃至図６に基づき上・下の装飾枠体９ａ，９ｂについて説明する。なお、下の装飾枠体９ｂは、上の装飾枠体９ａと構成が同じであるので、同一部位は同一番号を附ってその説明は省略する。上の装飾枠体９ａは、外側支持枠１５と、該外側支持枠１５の後側に配置される内側支持枠１６と、複数の発光ランプ１８が装着されると共に該内側支持枠１６に軸着される可動半筒体１７と、から概略構成される。
【００１６】
外側支持枠１５は上壁１５ａと下壁１５ｂおよび両側壁１５ｃ，１５ｃとによって構成され前後面が開放し、下壁１５ｂが上方へやや湾曲している。そして、両側壁１５ｃ，１５ｃの外側面にネジ挿通孔１９を設けた取付片２０が突設される。また、図２（ロ）に示すように適宜位置に後側を向くネジ孔２１が設けられる。
【００１７】
内側支持枠１６は、後壁１６ａとその両端部から前方へ突出する側壁１６ｂ，１６ｂとから平面コ字状に形成され、両側壁１６ｂ，１６ｂの外側面に取付片２２が突設されると共にこれら取付片２２，２２の上下部と後壁１６ａの下縁の適宜位置にネジ挿通孔２３が設けられている。また、両側壁１６ｂ，１６ｂの前端縁部におけるほぼ中間高さ位置に、前縁が開放される凹窪み状の軸受部２４が設けられる。これら軸受部２４は、可動半筒体１７両側の外側面に設けられた支軸２９を軸支するためのものである。一方の側壁１６ｂの内側面には、電気的駆動源としての揺動用駆動モータ２５と該揺動用駆動モータ２５の駆動軸に取着された駆動歯車２５ａと噛合して回動する複数のギアからなる動力伝達機構としての第一従動ギア群２６が、側壁１６ｂの内面に取着される保持枠１４を介して配置される。第一従動ギア群２６の内の外側に位置するギア２６ａの外側面に、リンク２７の一端が回動自在に取着されている。これらは、可動半筒体１７を上下方向に揺動させるためのものである。
【００１８】
可動半筒体１７は、その中心軸線に沿って切断した略半筒状に形成され、横向きに配置されると共に前面が前方へ湾曲しかつ後面は開放されている。また、前面にはその中心軸線に沿って複数個（例えば、５個）の通孔２８が開設される。両側壁１７ａ，１７ａの外側面に支軸２９が同一軸線上に突設され、第一従動ギア群２６側の側壁１７ａの外側面にリンク２７先端のピン孔２７ａが遊嵌する支持ピン３０が設けられている。そこで、揺動用駆動モータ２５が駆動することにより第一従動ギア群２６の各ギアが回動すると共にリンク２７が動作して可動半筒体１７が上下に揺動することになる。
【００１９】
各発光ランプ１８は、本体部材３１と、その前側に取り付けられる前覆部材３２と、その後側に取り付けられるギア部材３３と、発光体であるＬＥＤ３４と、から大略構成される。本体部材３１は、前後端面が開放される短筒部３１ａの外周面にフランジ板３１ｂを周設して形成される。前覆部材３２は、前面が中央に向かって漏斗状に窪むと共にその中央に透孔３２ａが開設され、後端面が開放された略椀状をなし、特に、その後端面はその中心軸線に対して斜めに傾斜している。ギア部材３３は、本体部材３１の短筒部３１ａ内に挿通されるギア筒部３３ａを備え、その外周面にフランジ部３３ｂが周設されると共に該フランジ部３３ｂの外周縁に歯部３３ｃが設けられている。そして、前覆部材３２の後側から透孔３２ａにレンズ３５を当接し、この状態で後側から前覆部材３２内に短筒部３１ａを挿通する。更に、本体部材３１の後側から短筒部３１ａ内にギア筒部３３ａを挿通する。これらはネジ止めして合体される。
【００２０】
このようにして前覆部材３２、ギア部材３３を組み付けた複数の本体部材３１を、可動半筒体１７の後面に配置される横長の取付台板３６の前面に長手方向に沿って列設された支持筒部３７に外嵌する。これにより、各本体部材３１は支持筒部３７を中心として自在に回動することになる。また、各ギア部材３３間には、隣り合うギア部材３３，３３の歯部３３ｃ，３３ｃ間に位置し、これら歯部３３ｃ，３３ｃと噛合する中間従動ギア３８が配置され、それぞれ取付台板３６の前面に軸着される。また、取付台板３６の一側後面と前面に電気的駆動源としての回動用駆動モータ３９と該回動用駆動モータ３９の駆動軸に取着された駆動歯車３９ａと噛合して回動する複数のギアからなる動力伝達機構としての第二従動ギア群４０が配置される。該第二従動ギア群４０の内の一つのギアが複数のギア部材３３の内の中央に位置するギア部材３３の歯部３３ｃに噛合している。そこで、回動用駆動モータ３９が駆動することにより、第二従動ギア群４０の各ギアが回動すると共に各ギア部材３３が中間従動ギア３８を介して同じ方向へ回動する。
【００２１】
取付台板３６の後側には、ランプ用配線基板４１が配置される。該ランプ用配線基板４１の前面に、取付台板３６の前面に列設された各支持筒部３７に後側から挿通され、かつ、その先端のＬＥＤが本体部材３１内に達する発光体３４が突設されている。４３はランプ用配線基板４１の裏側を覆うようにして取付台板３６の後面にネジ止めされる裏カバーである。内側支持枠１６の後面にも制御用配線基板４４が配置固定される。これら配線基板４１，４４によって、可動半筒体１７の揺動動作、各発光ランプ１８の回動動作、発光体３４の発光動作がそれぞれ制御されるようになっている。
【００２２】
第二従動ギア群４０は取付台板３６とこの前面に取着される補助支板４５との間に保持され、また、各発光ランプ１８は、取付台板３６の前面に取着される中間支板４６の下縁に列設された略半円弧状の嵌合凹部４７に嵌まり込んで安定して回動できるようになっている。また、発光ランプ１８の回動する回数や可動半筒体１７が揺動する開き角度は、いずれも所定位置に設けられたセンサ５３ａ，５３ｂにより検出されて、それぞれ制御されるようになっている。
【００２３】
そこで、各発光ランプ１８が列設された取付台板３６の裏側にランプ用配線基板４１を配置すると共に各発光体３４を支持筒部３７内に挿通した状態でビス止めし、ランプ用配線基板４１の裏面に裏カバー４３をビス止めする。また、このような取付台板３６を可動半筒体１７の裏面に配置し、可動半筒体１７に同じくビス止めする。次に、可動半筒体１７両側の支軸２９，２９にスペーサ４８を嵌め、スペーサ４８を嵌めた状態の支軸２９，２９を内側支持枠１６の両側壁１６ｂ，１６ｂ前端の軸受部２４，２４に嵌合し、この状態で、外側支持枠１５内にその後側から可動半筒体１７側を前側にした内側支持枠１６を挿入する。そして、各ネジ挿通孔２３を介して各ネジ孔２１にネジ４９を螺締めすることにより、装飾枠体９ａが組み立てられる。
【００２４】
このようにして組み立てられた上の装飾枠体９ａを、図２（イ）、図３に示すように前面枠３の裏側から後面が開放されるカバー部材８ａ内に可動半筒体１７側から入れ、図２（ロ）に示すように外側支持枠１５両側のネジ挿通孔１９，１９をカバー部材８ａの裏面に突設された突起５０後端のネジ孔５１に合致させた状態で、ネジ挿通孔１９を介してネジ孔５１にネジ５２を螺締めすることにより、上の装飾枠体９ａが取り付けられる。下の装飾枠体９ｂも上の装飾枠体９ａと同じ方法によって取着されるので、詳しい説明は省略する。また、前記ネジ５２を取り外すことにより、上・下の装飾枠体９ａ，９ｂが容易に取り外せ、交換可能に取り付けられる。
【００２５】
本発明に係るパチンコ遊技機Ｐは上記構成からなり、遊技中に大当りになった状態では、揺動用駆動モータ２５が駆動して図７に示すように第一従動ギア群２６を構成する各ギアが回動し、その内の一つのギア２６ａの回動に伴いリンク２７が動作して可動半筒体１７が上下に揺動することになる。また、同時に回動用駆動モータ３９が駆動して図８に示すように第二従動ギア群４０を構成する各ギアが回動し、中央の発光ランプ１８を初めその両側の発光ランプ１８，１８が共に同じ方向へ回動する。
【００２６】
このようにして、上・下の装飾枠体９ａ，９ｂの各可動半筒体１７が上下に揺動すると共に、各発光ランプ１８が一斉にその中心軸を中心として回動し、各発光ランプ１８の発光体３４の光が遊技者側へ放射されることになる。この際、各前覆部材３２の前端面はその中心軸線に対して傾斜し、しかも、中心軸がずらせてあるので、各発光ランプ１８がその中心軸線を中心として回動するのに伴い光を放射する方向が時間と共に変化する。このようにして、遊技者の目を楽しませ遊技の興趣を盛り上げることができる。
【００２７】
本発明にあっては、発光体３４が内蔵され回動または揺動して前方を照らす発光ランプ１８と、発光ランプ１８を可動させる揺動用駆動モータ２５、回動用駆動モータ３９と、発光ランプ１８とこれら駆動モータ２５，３９とを連繋する第一・第二従動ギア群２５，４０と、を支持枠１５，１６に一体に組み込んで装飾枠体９ａ，９ｂを形成し、これら装飾枠体９ａ，９ｂをパチンコ遊技機Ｐに交換可能に取着するようにしている。
よって、例えば発光ランプ３４や揺動用駆動モータ２５が故障して交換する必要が生じた場合、装飾枠体９ａ，９ｂごと外すのみで済み交換作業が容易に行なえる。また、廃棄処分に際しても、装飾枠体９ａ，９ｂごと取り外せば済むので、分別作業も容易に行なえ作業性の向上が図られることになる。
【図面の簡単な説明】
【００２８】
【図１】本発明に係るパチンコ遊技機の正面図。
【図２】（イ）は上の装飾枠体を外した前面枠の背面図、（ロ）は同Ｘ−Ｘ線断面図。
【図３】上の装飾枠体を外した前面枠の斜視図。
【図４】上と下の装飾枠体の斜視図。
【図５】上の装飾枠体であって外側支持枠と発光ランプを示す分解斜視図。
【図６】上の装飾枠体であって取付台板と内側支持枠を示す分解斜視図。
【図７】可動半筒体の揺動動作を示す説明図。
【図８】各発光ランプの回動動作を示す説明図。
【符号の説明】
【００２９】
９ａ      装飾枠体
９ｂ      装飾枠体
１５      支持枠（外側支持枠）
１６      支持枠（内側支持枠）
１８      発光ランプ
２５      電気的駆動源（揺動用駆動モータ）
２６      動力伝達機構（第一従動ギア群）
３４      発光体（ＬＥＤ）
３９      電気的駆動源（回動用駆動モータ）
４０      動力伝達機構（第二従動ギア群）
Ａ        遊技機（パチンコ遊技機）
【図１】
2008264027.tif 000003
【図２】
2008264027.tif 000004
【図３】
2008264027.tif 000005
【図４】
2008264027.tif 000006
【図５】
2008264027.tif 000007
【図６】
2008264027.tif 000008
【図７】
2008264027.tif 000009
【図８】
2008264027.tif 000010